(57)【特許請求の範囲】
【請求項１】
ドリンク容器を周面で包囲した状態で保持するドリンク容器ホルダ内でドリンク容器をさらに拘束するためのドリンク容器の拘束具において、
ドリンク容器の周面に対して前進及び後退可能にドリンク容器ホルダの周面にガイドされ、かつ先端部に前記ドリンク容器の周面に当接する当接部を有して前進方向へばねで付勢されたスライダと、このスライダにスライド方向へ複数段に形成された被係止部を手動操作により離脱可能に係止するロック爪を有するロック機構とを備え、
前記ロック爪及び前記被係止部の形状が、前記ロック爪で前記被係止部を係止した状態で前記スライダの前進を拘束し、かつ後退は許容するように形成されていることを特徴とするドリンク容器の拘束具。
【請求項２】
ロック機構が、合成樹脂製のドリンク容器ホルダの周面から外方へ一体成形により突設されることにより、被係止部に向けて付勢されるように曲げ弾性を呈し、かつロック爪が形成されたひれ部と、前記被係止部から前記ロック爪を離脱させるように、手動操作によりひれ部を駆動する駆動部材とを備えたことを特徴とする請求項１記載のドリンク容器の拘束具。
【発明の詳細な説明】
【０００１】
【発明の属する技術分野】
本発明は、カップ、缶等のドリンク容器を周面で包囲した状態で保持するドリンク容器ホルダ内でドリンク容器をさらに拘束するためのドリンク容器の拘束具に関するものである。
【０００２】
【従来の技術】
図４は従来のドリンク容器の拘束具を示すもので、ドリンク容器ホルダ１の周面１ａに、ピン２で枢支され、ばね３で内方へ付勢されたレバー４を用いた拘束具が周知である。
【０００３】
【発明が解決しようとする課題】
これにより、ドリンク容器５の周面をレバー４の先端部で押圧してセット位置に拘束することができる。しかしながら、ばね力に依存する拘束力はドリンク容器の大きさに応じて変化し、拘束力が大きくなると取り出しにくく、また紙コップ等を変形させる恐れがある。
【０００４】
本発明は、このような点に鑑みて、ドリンク容器の大きさに適合するように自動調整されて拘束でき、その拘束位置を維持し得るドリンク容器の拘束具を提供することを目的とする。
【０００５】
【課題を解決するための手段】
本発明は、この目的を達成するために、請求項１により、ドリンク容器を周面で包囲した状態で保持するドリンク容器ホルダ内でドリンク容器をさらに拘束するためのドリンク容器の拘束具において、ドリンク容器の周面に対して前進及び後退可能にドリンク容器ホルダの周面にガイドされ、かつ先端部にドリンク容器の周面に当接する当接部を有して前進方向へばねで付勢されたスライダと、このスライダにスライド方向へ複数段に形成された被係止部を手動操作により離脱可能に係止するロック爪を有するロック機構とを備え、ロック爪及び被係止部の形状が、ロック爪で被係止部を係止した状態でスライダの前進を拘束し、かつ後退は許容するように形成されていることを特徴とする。
【０００６】
ドリンク容器ホルダ内にドリンク容器が保持された状態で、スライダの当接部がドリンク容器の周面に当接し、ドリンク容器ホルダの周面間にドリンク容器を拘束する。その当接位置は、ロック爪による被係止部の係止によりロックされる。このロック状態で、より大きなドリンク容器に追従してスライダは後退可能であり、より小さなドリンク容器に対しては手動操作によりロック爪を離脱させるとスライダはばね付勢により前進する。
【０００７】
【発明の実施の形態】
図１乃至図３を基に本発明の実施の形態の一例によるドリンク容器の拘束具を説明する。８は、直方体の容器として形成され、例えばコンソールボックスの前後に引き出し式に収納されるドリンク容器ホルダである。９はこのドリンク容器ホルダ８に付設された拘束具であり、ホルダ周面８ａの上下のガイド穴１７、１７ａに前進及び後退可能にガイドされたコの字形スライダ１０及びそのロック機構２９を備えている。
【０００８】
コの字形スライダ１０の上側水平部１１の先端部には、その突起１１ａにより、標準的なドリンク容器に対応する円弧状の当接面１２ａを有する当接部１２が嵌合されている。当接面１２ａは、上方からドリンク容器５で押圧されて後退し得るように、後退方向に向けて上方へ傾斜している。下側のガイド穴１７ａには、下側水平部１５をガイドするように、水平ガイド底面１９ａが装着される両側のガイド側面１９が突設されている。
【０００９】
下側水平部１５の先端部の溝１５ａには、コイルばね１４の一方の端部を突起１３ａで係止する係止部材１３が嵌合されている。コイルばね１４の他方の端部はホルダ周面８ａに当接することにより、スライダ１０を前進方向へ付勢している。コの字形スライダ１０の垂直部には、ホルダ周面８ａの外面に当接するストッパ１０ａが突設されている。
【００１０】
スライダ１０のロック機構２９は、ドリンク容器ホルダ８の開口部のホルダフランジ部８ｃに下設されたヒンジブラケット２３に、ホルダ周面８ａに沿って上下に回動可能にピン２２により中間位置を枢支されているレバー２０と、合成樹脂製のドリンク容器ホルダ８のホルダ周面８ａのガイド穴１７の上縁から外方へ一体成形により突設されて、下方へ付勢されるようにに曲げ弾性を呈するひれ部２１を備えている。
【００１１】
ホルダフランジ部８ｃには、さらにレバー２０用のノブ２４が上下にスライド可能に挿入されるガイド穴２５が形成されている。その直下位置のレバー２０の後端部のピン穴２０ｂには、ノブ２４の下端部に直交方向に突設されたピン２４ａが回転自在に挿入されている。レバー２０の先端部２０ａは、ひれ部２１の側面の係入穴２１ｂに係入される。これにより、レバー２０及びノブ２４はひれ部２１の駆動部材を構成すると共に、ノブ２４は、ひれ部２１の下方への付勢によりレバー２０を介して上方の通常位置を占め、その下方への押圧操作を解除すると自動的に通常位置に復帰する。
【００１２】
スライダ１０の上側水平部１１の上面には、スライド方向へ複数段に被係止部としてロック溝１６が歯形状に形成されている。ひれ部２１の裏面におけるホルダ周面８ａから離れた部分には、ひれ部２１の基端を支点として下方へ回動してロック溝１６に係入するロック爪２１ａが形成されている。図３に示すように、各ロック溝１６は前後に垂直面を有するコの字形に形成され、ロック爪２１ａの前面は傾斜面２１ｂに、後面は垂直面２１ｃとして形成されている。これにより、ロック爪２１ａがロック溝１６に係入した状態でスライダ１０の前進が拘束され、後退は許容されるようになっている。尚、各ロック溝１６の前面を傾斜面にし、ロック爪２１ａの前面は傾斜面のまま或は垂直面にしても良い。
【００１３】
このように構成されたドリンク容器用拘束具９の動作は次の通りである。ドリンク容器５の底部で当接面１２ａを下方へ押してロック溝１６からロック爪２１ａを離脱させつつスライダ１０を後退させ、図１に示すようにホルダ底面８ｂにセットする。これにより、ドリンク容器５はホルダ周面８ａ及び当接面１２ａ間に拘束され、その際当接部１２の当接位置は対応位置のロック溝１６にロック爪２１ａが爪２１のばね力で自動的に係入することによりロックされる。したがって、ドリンク容器５を取り出しても当接部１２はドリンク容器５の周面の大きさに対応した位置に維持されたままである。さらに、大きなドリンク容器がセットされるとスライダ１０はさらに後退して対応位置に維持される。
【００１４】
ドリンク容器のない状態でノブ２４を押圧操作すると、レバー２０を介してひれ部２１が上動することにより、ロック爪２１ａがロック溝１６から離脱し、ばね付勢でスライダ１０はストッパ１０ａで規定される原位置に前進する。ノブ２４から手を離すと、ロック爪２１ａ及びノブ２４もひれ部２１の弾性によりロック位置に復帰する。したがって、前述のドリンク容器５に代えて、小さなドリンク容器をセットする場合ノブ２４を下方へ操作すると、当接部１２が前進してそのドリンク容器の周面に当接面１２ａが当接し、ノブ２４を離すと自動的にスライダ１０が拘束され、以後そのロック位置が維持される。
【００１５】
尚、前述の実施の形態に代えて、ロック機構としてはロック爪を別体に形成する等の別の構成も考えられ、ドリンク容器は円形状であっても同様に本発明を適用できる。
【００１６】
【発明の効果】
請求項１の発明によれば、ドリンク容器の周面に対するばね力を伴わない当接による拘束位置がドリンク容器の大きさに対応して調整され、またドリンク容器を取出しても維持される。直前のものより大きなドリンク容器に対してはそのセット時に拘束位置が自動的に調整され、小さなドリンク容器に対してはロック解除操作のみで自動的に調整される。したがって、操作が簡単で、ドリンク容器の変形或は取出し力のばらつきもなくなる。請求項２の発明によれば、合成樹脂製のドリンク容器ホルダとの一体成形でばね力を伴うロック爪を形成することにより、スライダのロック機構が簡単に構成される。
【図面の簡単な説明】
【図１】本発明の実施の形態によるドリンク容器の拘束具を示すもので、同図Ａは要部の平面図、同図Ｂはその断面図である。
【図２】同拘束具の分解斜視図である。
【図３】同拘束具のロック爪によるロック溝の係止状態を説明する断面図である。
【図４】従来のドリンク容器の拘束具を示すもので、同図Ａはその斜視図、同図Ｂはその断面図である。
【符号の説明】
５  ドリンク容器
８  ドリンク容器ホルダ
８ａ  ホルダ周面
９  拘束具
１０  スライダ
１２  当接部
１４  コイルばね
１６  ロック溝
１７、１７ａ  ガイド穴
２０  レバー
２１  ひれ部
２１ａ  ロック爪
２４  ノブ
２９  ロック機構
【図１】
0003776269.tif 000002
【図２】
0003776269.tif 000003
【図３】
0003776269.tif 000004
【図４】
0003776269.tif 000005